【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
映像データを符号化処理する符号化装置において、
上記映像データの絵柄の難度及び上記映像データの符号化処理後のデータ量と相関性を有する統計量を用いて、上記映像データの実難度データをピクチャ毎に近似した近似難度データをピクチャ毎に算出する近似難度データ算出手段と、
上記映像データのピクチャタイプシーケンスの変更に伴ってピクチャタイプが変更された後のピクチャタイプに従って、ピクチャタイプが変更されたピクチャの上記近似難度データを、補正近似難度データとして補正する近似難度データ補正手段と、
上記映像データを所定ピクチャ分遅延させる遅延手段と、
上記補正近似難度データを利用して、上記遅延手段より遅延された上記映像データを符号化処理する際に割り当てる目標符号量算出手段と、
上記目標符号量算出手段により算出された上記目標符号量となるように、上記遅延手段より遅延された上記映像データをピクチャ毎に符号化処理する符号化手段と
を有する符号化装置。
【請求項２】
上記ピクチャタイプシーケンスの変更は、Ｉピクチャの位置が変わるように又はＰピクチャの間隔を示すＭ（Ｍは正の整数）の値が変わるように変更される
請求項１に記載の符号化装置。
【請求項３】
上記映像データの編集に伴う上記ピクチャタイプシーケンスの変更を検出する検出手段を更に有する
請求項１に記載の符号化装置。
【請求項４】
上記検出手段は、ピクチャタイプ毎の上記実難度データとピクチャタイプ毎の上記予測難度データを用いて、シーンチェンジを検出する
請求項３に記載の符号化装置。
【請求項５】
上記検出手段は、Ｂピクチャの実難度データの値と直前のＢピクチャの実難度データの値を比較することにより、上記Ｂピクチャの直前のＩピクチャ又はＰピクチャに対応するピクチャでシーンチェンジが生じたと検出する
請求項４に記載の符号装置。
【請求項６】
上記近似難度データ算出手段は、上記統計量の値を、上記統計量と上記映像データの実難度データとの相関関係から得られる所定の一次関数に代入することによって、上記近似難度データを算出する
請求項１に記載の符号化装置。
【請求項７】
上記統計量は、Ｉピクチャとして符号化処理する上記映像データのピクチャのフラットネス又はイントラＡＣである
請求項１に記載の符号化装置。
【請求項８】
上記統計量は、Ｐピクチャ又はＢピクチャとして符号化処理する上記映像データのピクチャのＭＥ残差である
請求項１に記載の符号化装置。
【請求項９】
映像データを符号化処理する符号化方法において、
上記映像データの絵柄の難度及び上記映像データの符号化処理後のデータ量と相関性を有する統計量を用いて、上記映像データの実難度データをピクチャ毎に近似した近似難度データをピクチャ毎に算出する近似難度データ算出工程と、
上記映像データのピクチャタイプシーケンスの変更に伴ってピクチャタイプが変更された後のピクチャタイプに従って、ピクチャタイプが変更されたピクチャの上記近似難度データを、補正近似難度データとして補正する近似難度データ補正工程と、
上記映像データを所定ピクチャ分遅延させる遅延工程と、
上記補正近似難度データを利用して、上記遅延工程より遅延された上記映像データを符号化処理する際に割り当てる目標符号量算出工程と、
上記目標符号量算出工程により算出された上記目標符号量となるように、上記遅延工程より遅延された上記映像データをピクチャ毎に符号化処理する符号化工程と
を含む符号化方法。
【請求項１０】
映像データの絵柄の難度を示す難度データを用いて前記映像データを符号化処理する符号化装置において、
前記映像データを符号化処理する符号化手段と、
前記映像データに対して、前記映像データの第１の符号化区間を符号化処理し、符号化処理後のデータ量を実難度データとして算出する実難度データ算出手段と、
前記実難度データ算出手段により算出された前記実難度データから、前記映像データの第２の符号化区間の実難度データを近似した近似難度データを、予測難度データとして算出する予測難度データ算出手段と、
前記映像データのピクチャタイプシーケンスの変更に伴ってピクチャタイプが変更された後のピクチャタイプに従って、ピクチャタイプが変更されたピクチャの前記実難度データ又は前記予測難度データを、補正難度データとして補正する難度データ補正手段と、
前記難度データ補正手段により補正された前記補正難度データを利用して、前記映像データの符号化対象ピクチャに対する目標符号量を算出する目標符号量算出手段と、
前記目標符号量算出手段により算出された前記目標符号量となるように、前記符号化対象ピクチャを符号化処理するように、前記符号化手段の符号化処理を制御する符号化制御手段と
を有する符号化装置。
【請求項１１】
前記実難度データ算出手段は、ピクチャ単位で前記実難度データを算出し、
前記予測難度データ算出手段は、ピクチャ単位で前記予測難度データを算出し、
前記目標符号量算出手段は、ピクチャ単位で前記目標符号量を算出する
請求項１０に記載の符号化装置。
【請求項１２】
前記符号化装置は、前記映像データをＬピクチャ分（Ｌは正の整数）遅延させる遅延手段を更に有し、
前記実難度データ算出手段は、Ａ，Ｂ，ｊを正の整数、符号化対象ピクチャを前記映像データの第（ｊ）番目のピクチャとした場合に、前記映像データの第（ｊ−Ａ）番目のピクチャから第（ｊ＋Ｌ−１）番目のピクチャを前記第１の符号化区間として前記実難度データを算出し、
前記予測難度算出手段は、前記映像データの第（ｊ＋Ｌ）番目のピクチャから第（ｊ＋Ｌ＋Ｂ）番目のピクチャを前記第２の符号化区間として前記予測難度データを算出する
請求項２に記載の符号化装置。
【請求項１３】
前記予測難度データ算出手段は、前記実難度データ及び所定の関数を用いて近似することにより、前記予測難度データを算出する
請求項１０に記載の符号化装置。
【請求項１４】
前記所定の関数は、直線で表される１次関数であり、
前記予測難度データ算出手段は、前記１次関数を用いた直線予測を行うことにより前記予測難度データを算出する
請求項１３に記載の符号化装置。
【請求項１５】
前記予測難度データ算出手段は、前記第１の符号化区間における前記実難度データの平均値である平均実難度データを算出し、前記直線と前記実難度データとの自乗誤差に基づいて、算出された前記平均実難度データに対する前記実難度データの誤差を示す誤差関数を算出し、算出された前記誤差関数を最小にする前記一次関数を用いて前記予測難度データを算出する
請求項１４に記載の符号化装置。
【請求項１６】
前記予測難度データ算出手段は、前記第１の符号化区間における前記実難度データの平均値である平均実難度データを算出し、前記直線と前記実難度データとの差の絶対値に基づいて、算出された前記平均実難度データに対する前記実難度データの誤差を示す誤差関数を算出し、算出された前記誤差関数を最小にする前記一次関数を用いて前記予測難度データを算出する
請求項１４に記載の符号化装置。
【請求項１７】
前記予測難度データ算出手段は、前記符号化対象ピクチャに近いピクチャの前記実難度データほど前記誤差関数に大きな影響を与える重み付け係数を算出し、算出した前記重み付け係数を用いて重み付け直線予測を行うことにより前記予測難度データを算出する
請求項１６に記載の符号化装置。
【請求項１８】
前記予測難度データ算出手段は、符号化処理順序で隣接する前記実難度データの差分値を算出し、算出した前記差分値を用いて前記１次関数を積分した２次関数上の値として前記予測難度データを近似する差分予測を行うことにより、前記予測難度データを算出する
請求項１４に記載の符号化装置。
【請求項１９】
前記予測難度データ算出手段は、前記映像データのＧＯＰに含まれるピクチャのピクチャタイプ毎の実難度データの値の比率を算出し、算出した前記比率で前記実難度データを正規化して予測することにより、前記映像データのＧＯＰに含まれる各ピクチャの仮の予測難度データを算出し、算出した前記仮の予測難度に前記比率を乗算することにより、前記予測難度データを算出する
請求項１１に記載の符号化装置。
【請求項２０】
映像データの絵柄の難度を示す難度データを用いて前記映像データを符号化処理する符号化方法において、
前記映像データに対して、前記映像データの第１の符号化区間を符号化処理し、符号化処理後のデータ量を実難度データとして算出する実難度データ算出工程と、
前記実難度データ算出工程により算出された前記実難度データから、前記映像データの第２の符号化区間の実難度データを近似した近似難度データを、予測難度データとして算出する予測難度データ算出工程と、
前記映像データのピクチャタイプシーケンスの変更に伴ってピクチャタイプが変更された後のピクチャタイプに従って、ピクチャタイプが変更されたピクチャの前記実難度データ又は前記予測難度データを、補正難度データとして補正する難度データ補正工程と、
前記難度データ補正工程により補正された前記補正難度データを利用して、前記映像データの符号化対象ピクチャに対する目標符号量を算出する目標符号量算出工程と、
前記目標符号量算出工程により算出された前記目標符号量となるように、前記符号化対象ピクチャを符号化処理する符号化工程と
を含む符号化方法。
【手続補正２】
【補正対象書類名】明細書
【補正対象項目名】発明の名称
【補正方法】変更
【補正の内容】
【発明の名称】符号化装置及び符号化方法
【手続補正３】
【補正対象書類名】明細書
【補正対象項目名】０００６
【補正方法】変更
【補正の内容】
【０００６】
上記目的を達成するために、本発明に係る第１の符号化装置は、映像データを符号化処理する符号化装置において、上記映像データの絵柄の難度及び上記映像データの符号化処理後のデータ量と相関性を有する統計量を用いて、上記映像データの実難度データをピクチャ毎に近似した近似難度データをピクチャ毎に算出する近似難度データ算出手段と、上記映像データのピクチャタイプシーケンスの変更に伴ってピクチャタイプが変更された後のピクチャタイプに従って、ピクチャタイプが変更されたピクチャの上記近似難度データを、補正近似難度データとして補正する近似難度データ補正手段と、上記映像データを所定ピクチャ分遅延させる遅延手段と、上記補正近似難度データを利用して、上記遅延手段より遅延された上記映像データを符号化処理する際に割り当てる目標符号量算出手段と、上記目標符号量算出手段により算出された上記目標符号量となるように、上記遅延手段より遅延された上記映像データをピクチャ毎に符号化処理する符号化手段とを有する。
【手続補正４】
【補正対象書類名】明細書
【補正対象項目名】０００７
【補正方法】変更
【補正の内容】
【０００７】
本発明に係る第１の符号化方法は、映像データを符号化処理する符号化方法において、上記映像データの絵柄の難度及び上記映像データの符号化処理後のデータ量と相関性を有する統計量を用いて、上記映像データの実難度データをピクチャ毎に近似した近似難度データをピクチャ毎に算出する近似難度データ算出工程と、上記映像データのピクチャタイプシーケンスの変更に伴ってピクチャタイプが変更された後のピクチャタイプに従って、ピクチャタイプが変更されたピクチャの上記近似難度データを、補正近似難度データとして補正する近似難度データ補正工程と、上記映像データを所定ピクチャ分遅延させる遅延工程と、上記補正近似難度データを利用して、上記遅延工程より遅延された上記映像データを符号化処理する際に割り当てる目標符号量算出工程と、上記目標符号量算出工程により算出された上記目標符号量となるように、上記遅延工程より遅延された上記映像データをピクチャ毎に符号化処理する符号化工程とを含む。
【手続補正５】
【補正対象書類名】明細書
【補正対象項目名】０００８
【補正方法】変更
【補正の内容】
【０００８】
本発明に係る第２の符号化装置は、映像データの絵柄の難度を示す難度データを用いて前記映像データを符号化処理する符号化装置において、前記映像データを符号化処理する符号化手段と、前記映像データに対して、前記映像データの第１の符号化区間を符号化処理し、符号化処理後のデータ量を実難度データとして算出する実難度データ算出手段と、前記実難度データ算出手段により算出された前記実難度データから、前記映像データの第２の符号化区間の実難度データを近似した近似難度データを、予測難度データとして算出する予測難度データ算出手段と、前記映像データのピクチャタイプシーケンスの変更に伴ってピクチャタイプが変更された後のピクチャタイプに従って、ピクチャタイプが変更されたピクチャの前記実難度データ又は前記予測難度データを、補正難度データとして補正する難度データ補正手段と、前記難度データ補正手段により補正された前記補正難度データを利用して、前記映像データの符号化対象ピクチャに対する目標符号量を算出する目標符号量算出手段と、前記目標符号量算出手段により算出された前記目標符号量となるように、前記符号化対象ピクチャを符号化処理するように、前記符号化手段の符号化処理を制御する符号化制御手段とを有する。
【手続補正６】
【補正対象書類名】明細書
【補正対象項目名】０００９
【補正方法】変更
【補正の内容】
【０００９】
本発明に係る第２の符号化方法は、映像データの絵柄の難度を示す難度データを用いて前記映像データを符号化処理する符号化方法において、前記映像データに対して、前記映像データの第１の符号化区間を符号化処理し、符号化処理後のデータ量を実難度データとして算出する実難度データ算出工程と、前記実難度データ算出工程により算出された前記実難度データから、前記映像データの第２の符号化区間の実難度データを近似した近似難度データを、予測難度データとして算出する予測難度データ算出工程と、前記映像データのピクチャタイプシーケンスの変更に伴ってピクチャタイプが変更された後のピクチャタイプに従って、ピクチャタイプが変更されたピクチャの前記実難度データ又は前記予測難度データを、補正難度データとして補正する難度データ補正工程と、前記難度データ補正工程により補正された前記補正難度データを利用して、前記映像データの符号化対象ピクチャに対する目標符号量を算出する目標符号量算出工程と、前記目標符号量算出工程により算出された前記目標符号量となるように、前記符号化対象ピクチャを符号化処理する符号化工程とを含む。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】